(57)【特許請求の範囲】
【請求項１】
版胴と、
上記版胴の回転中心軸の周りに所定範囲で回転揺動可能に設けられた印刷位置調整レバーと、
上記印刷位置調整レバーに設けられて上記版胴の一回転位置を検出するための検出手段と、
上記版胴の近傍に配置された給紙手段と、
上記検出手段による検出から予め設定された所定時間が経過した後上記給紙手段に給紙動作を開始させる制御手段と、を具備し、
上記印刷位置調整レバーを回転揺動させることによって版胴の上記一回転位置を検出するタイミングをずらし、これにより、給紙動作を開始させるタイミングをずらし、それによって、印刷画像位置を調整することを特徴とする孔版印刷装置。
【請求項２】
請求項１記載の孔版印刷装置において、
上記検出手段は光透過型センサであって、上記版胴側に取り付けられた遮蔽板が通過して光透過が妨げられることにより、版胴の一回転位置を検出するものであることを特徴とする孔版印刷装置。
【請求項３】
請求項２記載の孔版印刷装置において、
上記給紙手段は一枚の印刷用紙をピックアップするピックアップローラと、このピックアップローラによりピックアップされた印刷用紙を受けて版胴側に搬送するレジストローラとから構成されていて、
上記制御手段は、光透過型センサが遮蔽板を検出したタイミングで上記ピックアップローラを駆動し、それから所定時間後にレジストローラを駆動させるものであることを特徴とする孔版印刷装置。
【請求項４】
請求項２記載の孔版印刷装置において、
上記給紙手段は一枚の印刷用紙をピックアップするピックアップローラと、このピックアップローラによりピックアップされた印刷用紙を受けて版胴側に搬送するレジストローラとから構成されていて、
上記遮蔽板は所定の長さだけ延長した状態で設けられていて、
上記制御手段は、光透過型センサが遮蔽板を検出したタイミングで上記ピックアップローラを駆動し、遮蔽板の検出が解除されたタイミングでレジストローラを駆動させるものであることを特徴とする孔版印刷装置。
【請求項５】
請求項２記載の孔版印刷装置において、
上記給紙手段は一枚の印刷用紙をピックアップするピックアップローラと、このピックアップローラによりピックアップされた印刷用紙を受けて版胴側に搬送するレジストローラとから構成されていて、
上記光透過型センサは所定の間隔をおいて二箇所に設けられていて、
上記制御手段は、一方の光透過型センサが遮蔽板を検出したタイミングで上記ピックアップローラを駆動し、他方の光透過型センサが遮蔽板を検出したタイミングでレジストローラを駆動させるものであることを特徴とする孔版印刷装置。
【発明の詳細な説明】
【０００１】
【発明が属する技術分野】
本発明は、孔版印刷装置に係り、特に、印刷位置の天地方向（印刷用紙の搬送方向に沿った位置）の位置を調整するための構成を改良したものに関する。
【０００２】
【従来の技術】
従来の印刷位置の調整を行う装置としては、例えば、実公平４−３００６３号公報に示すようなものがある。ここに示されている印刷位置調整装置は、回転軸の位置を機械的にずらすことにより、印刷位置の調整を行おうとするものである。
しかしながら、この種の装置の場合には、使用者にとって操作し難いものであると共に、孔版印刷装置が動作している間には印刷位置の調整できないという問題があった。
【０００３】
又、それとは別に、特開平７−２５００４号公報に示すような装置が提案されている。これは、操作パネル上においてソフトウェア制御することにより、印刷位置の調整を行おうとするものである。
以下、その構成を図１０乃至図１２を参照して説明する。
図１０は孔版印刷装置の一部の構成を示す図であり、まず、版胴２０１がある。この版胴２０１は図示しない駆動手段によって、図１０中矢印ａで示す方向に回転する。
【０００４】
又、版胴２０１の図１０中右上位置には、図示しない原稿読取手段と製版手段があって、原稿読取手段によって原稿から原稿データを読み取り、その読み取った原稿データを製版手段に出力する。製版手段は、入力した原稿データに基づいてマスターペーパ（孔版原紙）に穿孔・製版を施す。穿孔・製版されたマスターペーパは、上記版胴２０１の外周部に巻回・着版されることになる。上記版胴２０１の図１０中下方位置には、プレスローラ２０３が対向・配置されている。
【０００５】
上記版胴２０１の図１０中右下には、給紙手段２０５が設置されている。まず、給紙ストッカ２０７があり、この給紙ストッカ２０７には、複数枚の印刷用紙２０９が積層された状態で収容・保持されている。上記印刷用紙２０９の上方位置にはピックアップローラ２１１が配置されている。このピックアップローラ２１１によって、上記複数枚の印刷用紙２０９の内最上位の印刷用紙２０９をピックアップするものである。
【０００６】
上記ピックアップローラ２１１の図１０中左側には、一対のレジストローラ２１３、２１５が対向・配置されている。上記ピックアップローラ２１１によってピックアップされた印刷用紙２０９は、上記一対のレジストローラ２１３、２１５の間を通って、版胴２０１とプレスローラ２０３の間に供給される。上記一対のレジストローラ２１３、２１５は二枚以上の印刷用紙２０９を通過させないような隙間に設定されていて、いわゆる重送防止機能を発揮している。
又、上記ピックアップローラ２１１とレジストローラ２１３は、それぞれクラッチ手段２１４、２１６を介してギヤ２１７に連結されていて、このギヤ２１７を介して回転駆動されるようになっている。
【０００７】
又、上記版胴２０１の外周部には検出子２１９が取り付けられていると共に、版胴２０１の外周側にはこの検出子２１９を検出するための検出センサ２２１が配置されている。
【０００８】
次に、制御のための構成を図１１を参照して説明する。まず、ＣＰＵ２２３があり、又、操作パネル２２５がある。操作パネル２２５上にて操作することにより、ＣＰＵ２２３を介して、「版胴駆動」、「プレスローラ押当」、「ピックアップローラ駆動」、「レジストローラ駆動」を実行するものである。又、操作パネル２２５上には、図１２に示すような、印刷位置設定装置２２６が設けられている。この印刷位置設定装置２２６は、印刷位置を「＋」方向に修正するためのボタン２２７と、印刷位置を「−」方向に修正するためのボタン２２９とを備えていると共に、表示部２３１が設けられている。
【０００９】
上記構成によると、印刷用紙２０９は、版胴２０１の回転基準位置（検出センサ２２１によって検出子２１９を検出するタイミング）と、操作パネル２２５上にて、印刷位置設定装置２２６によって設定された印刷位置情報に基づいて、ＣＰＵ２２３によって搬送制御される。すなわち、クラッチ手段２１６がつなげられて、ギヤ２１７とピックアップローラ２１１とを連結する。それによって、最上位の印刷用紙２０９がピックアップローラ２１１によってピックアップされる。ピックアップされた印刷用紙２０９は、一対のレジストローラ２１３、２１５の位置まで搬送される。
【００１０】
次に、クラッチ手段２１４がつなげられる。それによって、ギヤ２１７とレジストローラ２１３とが連結される。それによって、印刷用紙２０９は一対のレジストローラ２１３、２１５によって、版胴２０１とプレスローラ２０３まで搬送される。後は、プレスローラ２０３が版胴２０１側に圧接されることにより、印刷用紙２０９は版胴２０１とプレスローラ２０３との間に保持される。後は、印刷が実行されて排紙されることになる。
【００１１】
そして、係る一連の動作において、クラッチ手段２１６がつなげられてピックアップローラ２１１が動作するタイミング、クラッチ手段２１４がつなげられて一対のレジストローラ２１３、２１５が動作するタイミングを制御し、それによって、印刷位置を調整することになる。
【００１２】
【発明が解決しようとする課題】
上記従来の構成によると次のような問題があった。
上記したように、特開平７−２５００４号公報に示すような装置における印刷位置の調整は、版胴２０１の回転基準位置（検出センサ２２１によって検出子２１９を検出するタイミング）と、操作パネル２２５上の印刷位置設定装置２２６を操作することにより、ＣＰＵ２２３の制御によって行われることになるが、それには、ハードウェア的にはカウンタを必要としたり、或いは、ソフトウェア的にはパルスカウンタを必要し、又、位置補正のためのプログラム（印刷位置設定装置２２６を操作することにより補正するためのプログラム）を記憶させるためのメモリを設ける必要がある等、制御のための構成が大がかりになってしまうという問題があった。
【００１３】
本発明はこのような点に基づいてなされたものでその目的とするところは、簡単な構成で印刷位置の調整を行うことを可能にする孔版印刷装置を提供することにある。
【００１４】
【課題を解決すたるための手段】
上記目的を達成するべく本願発明の請求項１による孔版印刷装置は、版胴と、上記版胴の回転中心軸の周りに所定範囲で回転揺動可能に設けられた印刷位置調整レバーと、上記印刷位置調整レバーに設けられて上記版胴の一回転位置を検出するための検出手段と、上記版胴の近傍に配置された給紙手段と、上記検出手段による検出から予め設定された所定時間が経過した後上記給紙手段に給紙動作を開始させる制御手段と、を具備し、上記印刷位置調整レバーを回転揺動させることによって版胴の上記一回転位置を検出するタイミングをずらし、これにより、給紙動作を開始させるタイミングをずらし、それによって、印刷画像位置を調整することを特徴とするものである。
又、請求項２による孔版印刷装置は、請求項１記載の孔版印刷装置において、上記検出手段は光透過型センサであって、上記版胴側に取り付けられた遮蔽板が通過して光透過が妨げられることにより、版胴の一回転位置を検出するものであることを特徴とするものである。
又、請求項３による孔版印刷装置は、請求項２記載の孔版印刷装置において、上記給紙手段は一枚の印刷用紙をピックアップするピックアップローラと、このピックアップローラによりピックアップされた印刷用紙を受けて版胴側に搬送するレジストローラとから構成されていて、上記制御手段は、光透過型センサが遮蔽板を検出したタイミングで上記ピックアップローラを駆動し、それから所定時間後にレジストローラを駆動させるものであることを特徴とするものである。
又、請求項４による孔版印刷装置は、請求項２記載の孔版印刷装置において、上記給紙手段は一枚の印刷用紙をピックアップするピックアップローラと、このピックアップローラによりピックアップされた印刷用紙を受けて版胴側に搬送するレジストローラとから構成されていて、上記遮蔽板は所定の長さだけ延長した状態で設けられていて、上記制御手段は、光透過型センサが遮蔽板を検出したタイミングで上記ピックアップローラを駆動し、遮蔽板の検出が解除されたタイミングでレジストローラを駆動させるものであることを特徴とするものである。
又、請求項５による孔版印刷装置は、請求項２記載の孔版印刷装置において、上記給紙手段は一枚の印刷用紙をピックアップするピックアップローラと、このピックアップローラによりピックアップされた印刷用紙を受けて版胴側に搬送するレジストローラとから構成されていて、上記光透過型センサは所定の間隔をおいて二箇所に設けられていて、上記制御手段は、一方の光透過型センサが遮蔽板を検出したタイミングで上記ピックアップローラを駆動し、他方の光透過型センサが遮蔽板を検出したタイミングでレジストローラを駆動させるものであることを特徴とするものである。
【００１５】
すなわち、本願発明の場合には、版胴の近傍に印刷位置調整部材を移動可能に配置し、この印刷位置調整部材に版胴の回転位置を検出するための検出手段を設け、制御手段によって検出手段の検出に基づいて給紙手段の駆動を制御するようにしたものである。つまり、印刷位置調整部材を適宜操作して移動させることにより検出位置を調整することができ、それによって、給紙手段の給紙のタイミングを調整することができる。給紙手段の給紙のタイミングを調整することにより、印刷位置の調整ができるものである。
【００１６】
【発明の実施の形態】
以下、図１乃至図５を参照して本発明の一実施の形態を説明する。まず、図１に示すように、版胴１があり、この版胴１は図示しない駆動手段によって図１中矢印ａで示す方向に回転するようになっている。又、上記版胴１の図１中右上側には、図示しない原稿読取手段と製版手段が設けられている。上記原稿読取手段によって原稿から原稿データを読み取り、この読み取った原稿データを製版手段に出力する。製版手段は、入力した原稿データに基づいて、図示しないマスターペーパに穿孔・製版を施す。又、版胴１の図１中下方位置にはプレスローラ３が対向・配置されている。
【００１７】
上記版胴１の図１中右下には、給紙手段５が設置されている。まず、給紙ストッカ７があり、この給紙ストッカ７内には、複数枚の印刷用紙９が積層された状態で収容・保持されている。又、上記印刷用紙９の上方には、ピックアップローラ１１が配置されている。このピックアップローラ１１によって、複数枚の印刷用紙９の内、最上位に位置する印刷用紙９をピックアップするものである。
【００１８】
又、上記ピックアップローラ１１の図１中左側には、一対のレジストローラ１３、１５が対向・配置されている。上記ピックアップローラ１１によってピックアップされた印刷用紙９は、これら一対のレジストローラ１３、１５の間を通って、版胴１とプレスローラ３との間に供給されることになる。上記一対のレジストローラ１３、１５は、二枚以上の印刷用紙９を通過させないような隙間に設定されており、それによって、重送防止機能を発揮している。
【００１９】
又、ギヤ１７が配置されていて、既に述べたピックアップローラ１１はクラッチ手段１９を介してこのギヤ１７に連結されている。又、レジストローラ１３は、クラッチ手段２１を介してギヤ１７に連結されている。
【００２０】
ところで、版胴１は回転中心軸３１に回転可能に取り付けられているが、この回転中心軸３１には、印刷位置調整部材としての印刷位置調整レバ３３が回転可能に取り付けられている。この印刷位置調整レバ３３の所定位置には、検出手段としての光透過型のタイミングセンサ３５が取り付けられている。又、版胴１側には遮蔽板３７が取り付けられている。上記タイミングセンサ３５は、投光部３５ａと受光部３５ｂとから構成されていて、上記遮蔽板３７は、これら投光部３５ａと受光部３５ｂとの間を通過するような位置に取り付けられている。
【００２１】
又、上記印刷位置調整レバ３３は、使用者がその把持部３３ａを把持して、回転中心軸３１を中心にして適宜回動させることができ、それによって、印刷位置を調整することができるようになっている。
【００２２】
以上の構成を基にその作用を説明する。
まず、印刷位置調整レバ３３を回動操作して任意の位置に位置決めする。そして、版胴１が回転することにより、遮蔽板３７がタイミングセンサ３５を通過すると、タイミングセンサ３５において光透過状態から光遮断状態となり、それが検出される。この検出に基づいて、クラッチ手段１９をつなぎ、ピックアップローラ１１とギヤ１７とを連結する。それによって、ピックアップローラ１１が回転し、最上位の印刷用紙９をピックアップして、一対のレジストローラ１３、１５側に搬送する。
【００２３】
次に、タイミングセンサ３５の検出から予め設定された所定時間が経過した後、クラッチ手段２１をつなぐ。それによって、一対のレジストローラ１３、１５が回転し、ピックアップローラ１１側より搬送されてくる印刷用紙９を版胴１とプレスローラ３側に搬送する。搬送された印刷用紙９は、版胴１とプレスローラ３との間を通過する間に印刷が施され、その後排紙される。
【００２４】
次に、印刷位置の調整に関して説明する。例えば、図１に示す状態に対して、印刷位置を遅れ方向に設定する場合には、図３に示すように、印刷位置調整レバ３３を図中反時計方向に回動させて、タイミングセンサ３５の位置を反時計方向にずらす。これによって、検出のタイミングが早くなり、それだけ、印刷用紙９の供給のタイミングが早くなる。よって、印刷位置は、印刷用紙において遅れ方向にずれることになる。
【００２５】
これに対して、印刷位置を進み方向にずらしたい場合には、図４に示すように、印刷位置調整レバ３３を、図中時計方向に回動させて、タイミングセンサ３５の位置を時計方向にずらすことになる。これによって、検出のタイミングが遅くなり、それだけ、印刷用紙９の供給のタイミングが遅くなる。よって、印刷位置は、印刷用紙において進み方向にずれることになる。
【００２６】
上記した動作を図５に示すフローチャートを参照して整理してみる。
尚、版胴１及びギヤ１７は予め回転しており、クラッチ手段１９、２１は接続を解除されている。
まず、ステップＳ１において、タイミングセンサ３５が光透過から光遮断になったか否かを判別する。光遮断になっていないと判別された場合には、ステップＳ２に移行してリターンとなる。これに対して、ステップＳ１において、光遮断になったと判別された場合には、ステップＳ３に移行する。このステップＳ３においては、クラッチ手段１９をつなぐ。次いで、ステップＳ４に移行して、設定した所定時間の経過を待つ。すなわち、印刷用紙９の先端がレジストローラ１３、１５に噛み合う位置に達するまで待つものである。次に、ステップＳ５に移行して、クラッチ手段２１をつなぐ。これによって、レジストローラ１３、１５による印刷用紙９の搬送が開始される。次に、ステップＳ６に移行して、クラッチ手段１９の接続を解除する。
尚、ピックアップローラ１１は、ワンウェイクラッチ等の構造より、印刷用紙９によって、いわゆる「連れ回り」することになる。
【００２７】
次に、ステップＳ７に移行して、レジストローラ１３、１５によって搬送される印刷用紙９がプレスローラ３の位置に達するまでの時間の経過を待つ。次に、ステップＳ８に移行して、クラッチ手段２１の接続を解除して終了する。これによって、印刷用紙９は、プレスローラ３と版胴１に圧接されて搬送されることになる。又、レジストローラ１３、１５は、ワンウェイクラッチ等の構造により、印刷用紙９によって、いわゆる「連れ回り」することになる。
【００２８】
以上本実施の形態によると次のような効果を奏することができる。
まず、従来のように、複雑なソフトウェア制御を何等要することなく、印刷位置の調整が可能となる。すなわち、印刷位置調整レバ３３を使用者が適宜回動操作するだけで、印刷位置を直接調整することができるからである。よって、複雑なソフトウェアが不要になる等、構成の簡略化、コストの低減を図ることができる。
又、従来の印刷位置設定装置２２６の場合には、調整量が段階的になっていて、限られていたが、この実施の形態の場合にはそのようなことはない。
【００２９】
次に、図６及び図７を参照して本発明の第２の実施の形態を説明する。この実施の形態の場合には、遮蔽板３７を円弧状に所定の長さ分だけ延長させた構成になっている。そして、タイミングセンサ３５が検出したタイミング（遮蔽板３７によって遮蔽され始めたタイミング）でクラッチ手段１９をつなげてピックアップローラ１１を動作させ、遮蔽板３７による遮蔽が解除されたタイミングでクラッチ手段２１をつなげて一対のレジストローラ１３、１５を動作させるものである。
このように構成することにより、前記第１の実施の形態のように、所定時間を計測する必要がなくなり、そのための構成をさらに省略することができる。
【００３０】
又、この第２の実施の形態の場合の動作を図７のフローチャートを参照して整理してみる。
尚、前提となる状況は前記第１の実施の形態の場合と同じである。
まず、ステップＳ２１において、タイミングセンサ３５が光透過から光遮断になったか否かを判別する。光遮断になっていない場合には、ステップＳ２２に移行してリターンとなる。これに対して、ステップＳ２１において、光遮断になったと判別された場合には、ステップＳ２３に移行する。このステップＳ２３においては、クラッチ手段１９をつなぐ。次いで、ステップＳ２４に移行して、タイミングセンサ３５が光遮断から光透過になったか否かを判別する。光透過になっていると判別された場合には、ステップＳ２５に移行して、クラッチ手段２１をつなぐ。これによって、レジストローラ１３、１５による印刷用紙９の搬送が開始される。次に、ステップＳ２６に移行して、クラッチ手段１９の接続を解除する。
尚、ピックアップローラ１１は、ワンウェイクラッチ等の構造より、印刷用紙９によって、いわゆる「連れ回り」することになる。
【００３１】
次に、ステップＳ２７に移行して、レジストローラ１３、１５によって搬送される印刷用紙９がプレスローラ３の位置に達するまでの時間の経過を待つ。次に、ステップＳ２８に移行して、クラッチ手段２１の接続を解除して終了する。これによって、印刷用紙９は、プレスローラ３と版胴１に圧接されて搬送されることになる。又、レジストローラ１３、１５は、ワンウェイクラッチ等の構造により、印刷用紙９によって、いわゆる「連れ回り」することになる。
【００３２】
次に、図８及び図９を参照して本発明の第３の実施の形態を説明する。この実施の形態の場合には、タイミングセンサ３５とは別に同じ構成のタイミングセンサ４１を設けたものである。そして、タイミングセンサ３５によって遮蔽板３７を検出したタイミングでクラッチ手段１９をつなげてピックアップローラ１１を動作させ、タイミングセンサ４１によって遮蔽板３７を検出したタイミングでクラッチ手段２１をつなげて一対のレジストローラ１３、１５を動作させるものである。
よって、前記第２の実施の形態の場合と同様の効果を奏することができるものである。
【００３３】
この第３の実施の形態の場合の動作を図９に示すフローチャートを参照して整理する。
まず、ステップＳ３１において、タイミングセンサ３５が光透過から光遮断になったか否かを判別する。光遮断になっていない場合には、ステップＳ３２に移行してリターンとなる。これに対して、ステップＳ３１において、光遮断になったと判別された場合には、ステップＳ３３に移行する。このステップＳ３３においては、クラッチ手段１９をつなぐ。次いで、ステップＳ３４に移行して、タイミングセンサ４１が光透過から光遮断になったか否かを判別する。光遮断になっていると判別された場合には、ステップＳ３５に移行して、クラッチ手段２１をつなぐ。これによって、レジストローラ１３、１５による印刷用紙９の搬送が開始される。次に、ステップＳ３６に移行して、クラッチ手段１９の接続を解除する。
尚、ピックアップローラ１１は、ワンウェイクラッチ等の構造より、印刷用紙９によって、いわゆる「連れ回り」することになる。
【００３４】
次に、ステップＳ３７に移行して、レジストローラ１３、１５によって搬送される印刷用紙９がプレスローラ３の位置に達するまでの時間の経過を待つ。次に、ステップＳ３８に移行して、クラッチ手段２１の接続を解除して終了する。これによって、印刷用紙９は、プレスローラ３と版胴１に圧接されて搬送されることになる。又、レジストローラ１３、１５は、ワンウェイクラッチ等の構造により、印刷用紙９によって、いわゆる「連れ回り」することになる。
【００３５】
尚、本発明は前記第１〜第３の実施の形態に限定されるものではない。
まず、前記第１〜第３の実施の形態においては、印刷位置調整部材を版胴の回転中心軸に回転可能に取り付けたが、これに限定されるものではなく、要は、適宜移動操作されることにより、検出位置を調整できるようなものであればよい。又、検出手段としては、光透過型のものに限定されず、機械式のスイッチ等、公知の様々な形式のものの適用が考えられる。
又、孔版印刷装置自体の構成としても、図示したものはあくまで一例であって、それに限定されるものではない。
【００３６】
【発目の効果】
以上詳述したように本発明による孔版印刷装置によると、印刷位置調整部材を適宜操作して移動させるだけで、印刷位置を調整することができ、従来のように、複雑なソフトウェア等を何等要することなく、所望の印刷位置調整が可能となる。よって、構成の簡略化、コストの低減を図ることができる。
【図面の簡単な説明】
【図１】本発明の第１の実施の形態を示す図で、孔版印刷装置の一部の構成を示す図である。
【図２】本発明の第１の実施の形態を示す図で、図１のＩＩ−ＩＩ断面図である。
【図３】本発明の第１の実施の形態を示す図で、孔版印刷装置の一部の構成を示し、印刷位置を遅れ方向にずらす場合の作用を示す図である。
【図４】本発明の第１の実施の形態を示す図で、孔版印刷装置の一部の構成を示し、印刷位置を進み方向にずらす場合の作用を示す図である。
【図５】本発明の第１の実施の形態を示す図で、動作を説明するためのフローチャートである。
【図６】本発明の第２の実施の形態を示す図で、孔版印刷装置の一部の構成を示す図である。
【図７】本発明の第２の実施の形態を示す図で、動作を説明するためのフローチャートである。
【図８】本発明の第３の実施の形態を示す図で、孔版印刷装置の一部の構成を示す図である。
【図９】本発明の第３の実施の形態を示す図で、動作を説明するためのフローチャートである。
【図１０】従来例を示す図で、孔版印刷装置の一部の構成を示す図である。
【図１１】従来例を示す図で、制御のための構成を示すブロック図である。
【図１２】従来例を示す図で、操作パネルに設けられた位置調整装置の構成を示す平面図である。
【符号の説明】
１  版胴
３  プレスローラ
５  給紙手段
１１  ピックアップローラ
１３  レジストローラ
１５  レジストローラ
３３  印刷位置調整レバ
３５  光透過型タイミングセンサ
３５ａ  投光部
３５ｂ  受光部
３７  遮蔽板
【図１】
0004248630.tif 000002
【図２】
0004248630.tif 000003
【図３】
0004248630.tif 000004
【図４】
0004248630.tif 000005
【図５】
0004248630.tif 000006
【図６】
0004248630.tif 000007
【図７】
0004248630.tif 000008
【図８】
0004248630.tif 000009
【図９】
0004248630.tif 000010
【図１０】
0004248630.tif 000011
【図１１】
0004248630.tif 000012
【図１２】
0004248630.tif 000013